(57)【要約】【課題】  デジタルカメラ等の撮影装置において、初心者であっても容易に自身が所望する画質を有する画像を取得できるようにする。【解決手段】  予備撮影ボタン３２Ａの押下により、複数種類の撮影モードのそれぞれにより撮影を行って複数の予備撮影画像を得、ＬＣＤ１６に表示する。ユーザが所望とする画質の予備撮影画像を選択すると、その予備撮影画像を取得した際の撮影モードを設定する。そして、ユーザがシャッタボタン３２Ｂを押下すると、設定した撮影モードにより撮影を行って画像データを取得する。【選択図】          図１
2005354486.tif 000002
【特許請求の範囲】
【請求項１】
撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段と、
前記予備撮影動作により、複数種類の撮影モードを設定して該複数種類の撮影モードのそれぞれにより撮影を行い、該撮影により取得された複数の画像を表示し、該表示された複数の画像から所望画像の選択を受け付け、該選択された所望画像を取得した際の撮影モードを所望撮影モードとして設定するよう、前記撮像手段、前記画像処理手段、前記モード設定手段、前記表示手段および前記入力手段を制御する撮影制御手段とを備えたことを特徴とする撮影装置。
【請求項２】
撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段と、
前記予備撮影動作により、複数種類の撮影モードを設定して該複数種類の撮影モードのそれぞれにより撮影を行い、該撮影により取得された複数の画像を表示し、該表示された複数の画像から所望画像の選択を受け付け、該選択された所望画像を取得した際の所望撮影モードの設定方法を案内するよう、前記撮像手段、前記画像処理手段、前記モード設定手段、前記表示手段および前記入力手段を制御する撮影制御手段とを備えたことを特徴とする撮影装置。
【請求項３】
前記撮影制御手段は、前記複数の画像を表示するに際し、選択された画像を取得した撮影モードを説明する表示をさらに行う手段であることを特徴とする請求項１または２記載の撮影装置。
【請求項４】
撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段とを備えた撮影装置における撮影方法において、
前記予備撮影動作により、複数種類の撮影モードを設定して該複数種類の撮影モードのそれぞれにより撮影を行い、
該撮影により取得された複数の画像を表示し、
該表示された複数の画像から所望画像の選択を受け付け、
該選択された所望画像を取得した際の撮影モードを所望撮影モードとして設定することを特徴とする撮影方法。
【請求項５】
撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段とを備えた撮影装置における撮影方法において、
前記予備撮影動作により、複数種類の撮影モードを設定して該複数種類の撮影モードのそれぞれにより撮影を行い、
該撮影により取得された複数の画像を表示し、
該表示された複数の画像から所望画像の選択を受け付け、
該選択された所望画像を取得した際の所望撮影モードの設定方法を案内することを特徴とする撮影方法。
【請求項６】
撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段とを備えた撮影装置における撮影方法をコンピュータに実行させるためのプログラムにおいて、
前記予備撮影動作により、複数種類の撮影モードを設定して該複数種類の撮影モードのそれぞれにより撮影を行う手順と、
該撮影により取得された複数の画像を表示する手順と、
該表示された複数の画像から所望画像の選択を受け付ける手順と、
該選択された所望画像を取得した際の撮影モードを所望撮影モードとして設定する手順とを有することを特徴とするプログラム。
【請求項７】
撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段とを備えた撮影装置における撮影方法をコンピュータに実行させるためのプログラムにおいて、
前記予備撮影動作により、複数種類の撮影モードを設定して該複数種類の撮影モードのそれぞれにより撮影を行う手順と、
該撮影により取得された複数の画像を表示する手順と、
該表示された複数の画像から所望画像の選択を受け付ける手順と、
該選択された所望画像を取得した際の所望撮影モードの設定方法を案内する手順とを有することを特徴とするプログラム。
【発明の詳細な説明】
【技術分野】
【０００１】
本発明は、撮影により画像データを取得するデジタルカメラ等の撮影装置、撮影方法および撮影方法をコンピュータに実行させるためのプログラムに関するものである。
【背景技術】
【０００２】
デジタルカメラ等の撮影装置においては、１回の撮影では思うような画像を取得することはカメラの初心者にとっては困難であることが多い。このため、露出、階調、彩度、シャープネス処理の程度、ストロボ発光強度、ホワイトバランス調整の有無、ホワイトバランス調整の程度、フォーカス位置、絞り等の撮影条件および／または画像処理条件を、１回の撮影において複数段階に変更して、複数の画像を取得するようにしたブラケット撮影を行うことが可能なデジタルカメラが提案されている（特許文献１参照）。
【０００３】
このようなブラケット撮影を行うことにより、撮影者は自信が設定を行わなくても撮影条件および／または画像処理条件が異なる複数の画像を取得することができるため、複数の画像から撮影者が所望とする画質を有する画像を選択することが可能である。
【０００４】
また、ブラケット撮影により取得された複数の画像を解析することにより、所望とする画質を有する画像を選択するようにしたデジタルカメラも提案されている（特許文献２）。このようなデジタルカメラを用いることにより、撮影者は自身が画像を選択する作業を行わなくても、所望とする画質を有する画像を取得することができる。
【０００５】
また、ブラケット撮影においてとくに画像の色情報の補正量を撮影者が設定できるようにしたデジタルカメラも提案されている（特許文献３参照）。さらに、予備撮影を行うことにより予備撮影画像を取得し、この予備撮影画像を用いての予備撮影の際の撮影条件の修正入力を受け付け、修正された撮影条件を用いてブラケット撮影を行うようにしたデジタルカメラも提案されている（特許文献４参照）。
【特許文献１】特開平８−２９８２８号公報
【特許文献２】特開２００３−３４８４３８号公報
【特許文献３】特開２００２−３０５７５０号公報
【特許文献４】特開２００１−２３８１１５号公報
【発明の開示】
【発明が解決しようとする課題】
【０００６】
ところで、上述したブラケット撮影において取得される画像は、撮影条件および／または画像処理条件を微妙に変更して取得されるものであるため、カメラの初心者がブラケット撮影により取得された複数の画像から所望とする画像を選択することは難しいことが多い。とくに、特許文献３，４に記載されたデジタルカメラにおいて、色情報の補正条件や撮影条件を設定することは初心者にとっては非常に困難である。
【０００７】
ここで、デジタルカメラによっては、ポートレートモード、スポーツモードおよび夜景モード等、あらかじめ設定されたプログラムモードを有しており、撮影モードダイヤルを所望とするプログラムモードに設定することにより、ストロボ発光の有無、撮影条件および／または画像処理条件を自動的に設定して撮影を行うことが可能となっている。
【０００８】
しかしながら、実際に撮影を行う場合には、初心者にとってはどのプログラムモードを設定すればよいかさえ分からない場合がある。このため、実際に各種プログラムモードを設定して撮影を行って画像を取得してみるまでは、どのようなプログラムモードを設定すればその撮影時において高画質の画像を得ることができるのかが分からないのが現状である。
【０００９】
本発明は上記事情に鑑みなされたものであり、初心者であっても容易に自身が所望する画質を有する画像を取得できるようにすることを目的とする。
【課題を解決するための手段】
【００１０】
本発明による第１の撮影装置は、撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段と、
前記予備撮影動作により、複数種類の撮影モードを設定して該複数種類の撮影モードのそれぞれにより撮影を行い、該撮影により取得された複数の画像を表示し、該表示された複数の画像から所望画像の選択を受け付け、該選択された所望画像を取得した際の撮影モードを所望撮影モードとして設定するよう、前記撮像手段、前記画像処理手段、前記モード設定手段、前記表示手段および前記入力手段を制御する撮影制御手段とを備えたことを特徴とするものである。
【００１１】
本発明による第２の撮影装置は、撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段と、
前記予備撮影動作により、複数種類の撮影モードを設定して該複数種類の撮影モードのそれぞれにより撮影を行い、該撮影により取得された複数の画像を表示し、該表示された複数の画像から所望画像の選択を受け付け、該選択された所望画像を取得した際の所望撮影モードの設定方法を案内するよう、前記撮像手段、前記画像処理手段、前記モード設定手段、前記表示手段および前記入力手段を制御する撮影制御手段とを備えたことを特徴とするものである。
【００１２】
なお、本発明による第１および第２の撮影装置においては、前記撮影制御手段を、前記複数の画像を表示するに際し、選択された画像を取得した撮影モードを説明する表示をさらに行う手段としてもよい。
【００１３】
「撮影モード」とは、ポートレートモード、スポーツモードおよび夜景モード等、あらかじめ設定されたプログラムモードのみならず、ストロボ発光の有無、並びに絞り、露光時間、露出等の撮影条件および／または階調補正、濃度補正、シャープネス補正等の画質を向上させるための画像処理の程度を表す画像処理条件をあらかじめ定めた基準となる条件から複数段階に変更することにより得られる撮影条件および／または画像処理条件をも含む。
【００１４】
本発明による第１の撮影方法は、撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段とを備えた撮影装置における撮影方法において、
前記予備撮影動作により、複数種類の撮影モードを設定して該複数種類の撮影モードのそれぞれにより撮影を行い、
該撮影により取得された複数の画像を表示し、
該表示された複数の画像から所望画像の選択を受け付け、
該選択された所望画像を取得した際の撮影モードを所望撮影モードとして設定することを特徴とするものである。
【００１５】
本発明による第２の撮影方法は、撮影により画像を取得する撮像手段と、
前記画像に画像処理を施す画像処理手段と、
前記画像を取得する際の撮影モードを設定するモード設定手段と、
前記画像データを含む各種情報を表示する表示手段と、
予備撮影動作および撮影動作を含む各種入力を受け付ける入力手段とを備えた撮影装置における撮影方法において、
前記予備撮影動作により、複数種類の撮影モードを設定して該複数種類の撮影モードのそれぞれにより撮影を行い、
該撮影により取得された複数の画像を表示し、
該表示された複数の画像から所望画像の選択を受け付け、
該選択された所望画像を取得した際の所望撮影モードの設定方法を案内することを特徴とするものである。
【００１６】
なお、本発明による第１および第２の撮影方法をコンピュータに実行させるためのプログラムとして提供してもよい。
【発明の効果】
【００１７】
本発明の第１の撮影装置および方法によれば、予備撮影動作により、複数種類の撮影モードが設定され、複数種類の撮影モードのそれぞれにより撮影が行われて撮影により取得された複数の画像が表示される。そして、表示された複数の画像から選択された所望画像を取得した際の撮影モードが所望撮影モードとして設定される。この状態において撮影を行うことにより、所望撮影モードにより所望とする画質を有する画像が取得される。このため、カメラの初心者であっても、各種撮影モードにより撮影が行われた複数の画像を実際に見ながら、自身が所望とする画質の画像を得ることが可能な所望撮影モードを設定することができるため、容易に所望とする画質を有する画像を取得することができる。
【００１８】
本発明の第２の撮影装置および方法によれば、予備撮影動作により、複数種類の撮影モードが設定され、複数種類の撮影モードのそれぞれにより撮影が行われて撮影により取得された複数の画像が表示される。そして、表示された複数の画像から選択された所望画像を取得した際の所望撮影モードの設定方法が案内される。撮影者はこの案内により所望撮影モードを設定することができる。この状態において撮影を行うことにより、所望撮影モードにより所望とする画質を有する画像が取得される。このため、カメラの初心者であっても、各種撮影モードにより撮影が行われた複数の画像を実際に見ながら、自身が所望とする画質の画像を得ることが可能な所望撮影モードを設定することができ、これにより、容易に所望とする画質の画像を取得することができる。また、撮影者は撮影モードの設定の仕方を覚えることができる。
【００１９】
また、複数の画像を表示する際に、選択された画像を取得した撮影モードを説明する表示を行うことにより、現在選択している画像がどのような撮影モードにより取得されたものであるのかを容易に認識することができる。
【発明を実施するための最良の形態】
【００２０】
以下、図面を参照して本発明の実施形態について説明する。図１は本発明の実施形態による撮影装置を適用したデジタルカメラの構成を示す概略ブロック図である。
【００２１】
図１に示すように、デジタルカメラ１には、被写体像を受光面に結像させて光電変換し、画像データとして出力する、撮影レンズ、ＣＣＤおよびシャッタ等を備えた撮像部２０と、デジタルカメラ１全体の制御を行うとともに画像データのサンプリングタイミング制御、画像データの記録制御および表示制御等の各種制御を行うＣＰＵ２２と、画像サイズを変更する処理、並びにシャープネス補正、ガンマ補正、コントラスト補正およびホワイトバランス補正等の画像データにより表される画像の画質を向上させるセットアップ処理を行う信号処理部２４と、アナログ情報の画像データをデジタルの画像データに変換するＡ／Ｄ変換器２６と、ストロボ２８と、ストロボ２８の操作を制御するストロボ制御部３０と、種々の指示をデジタルカメラ１に対して行うための入力部３２と、入力部３２の設定情報を入力するインターフェースであるＩ／Ｏ３４とが設けられている。
【００２２】
なお、入力部３２には、後述する予備撮影を行うための予備撮影ボタン３２Ａ、シャッタボタン３２Ｂ、並びに画像データのメモリカード１０への記録画素数および記録フォーマットを設定したり、撮影モードを設定したり等するためのモード切替ダイヤル、十字キーおよび設定スイッチ等の各種スイッチ３２Ｃが設けられている。
【００２３】
また、デジタルカメラ１には、画像データをＪＰＥＧやモーションＪＰＥＧに代表される手法で圧縮したり、圧縮した画像データを解凍する圧縮解凍部３６と、撮像部２０における撮影条件および信号処理部２４における画像処理条件を設定することにより撮影モードを設定するためのモード設定部４０と、メモリカードスロット３８に着脱可能に装着されたメモリカード１０に画像データを記録したり読み出したりするために画像データを変換するカードインターフェース４２とが設けられている。
【００２４】
また、デジタルカメラ１には、後述する設定パターンテーブル、撮影プログラム等のＣＰＵ２２を動作させるプログラムや各種定数が記録されているＲＯＭおよびＣＰＵ２２が処理を実行する際の作業領域となるＲＡＭにより構成されるシステムメモリ４４と、デジタルカメラ１の各種設定定数を電源遮断後も記録し続けることが可能な書き替え可能な不揮発性メモリ４６と、タイマ撮影時に駆動されるタイマ４８と、現在の時刻を刻むカレンダ時計５０と、画像データを液晶モニタ（ＬＣＤ）１６に表示するためのＤ／Ａ変換等を行うＬＣＤ制御部５４と、ＣＰＵ２２から指令される表示用の画像データを一時的に記録しておくＶＲＡＭ等で構成されているフレームメモリ５６と、ＣＰＵ２２から指令されるコード情報を表示する文字やメッセージデータに変換して画像とともにオンスクリーンディスプレイするＯＳＤ５８とが設けられている。なお、電力を各部へ供給するバッテリ６０も設けられている。
【００２５】
そしてＣＰＵ２２がシステムメモリ４４から各種プログラムを読み出して実行することにより、ＣＰＵ２２が撮影制御手段として機能する。
【００２６】
また、撮像部２０により取得された画像データは、信号処理部２４により画像処理が施された後、Ａ／Ｄ変換部２６によりデジタルの画像データに変換され、さらにユーザにより設定された記録画像数および記録フォーマットにて圧縮解凍部３６において圧縮されてメモリカード１０に記録される。
【００２７】
ここで、ユーザが予備撮影ボタン３２Ａを押下することにより、システムメモリ４４に記録された設定パターンテーブルが参照されて、予備撮影が行われる。本実施形態においては、１回の予備撮影ボタン３２Ａの押下により９回の撮影を予備撮影として行うものとする。
【００２８】
図２は設定パターンテーブルの例を示す図である。図２に示すように設定パターンテーブルＴ０は、９コマ分のコマ番号と対応させて、９種類の撮影モードが記述されている。具体的には、プログラムオート０〜４、スポーツモード、ポートレートモード、風景モードおよび夜景モードが記述されている。また、各モードの内容を説明するための説明文言データも記述されている。
【００２９】
ここで、プログラムオート０はデジタルカメラ１が自動で行う標準的な設定を表すものであり、プログラムオート１は追加設定条件としてストロボを強制発光させるモード、プログラムオート２は露出補正を−１ＥＶとするモード、プログラムオート３は露出補正を＋１ＥＶとするモード、プログラムオート４はホワイトバランスを固定するモードとなっている。
【００３０】
そして、ユーザが予備撮影ボタン３２Ａを押下すると、ＣＰＵ２２がモード設定部４０に対して、設定パターンテーブルＴ０を参照して、撮像部２０および信号処理部２４における撮影条件および／または画像処理条件並びにストロボ制御部３０によるストロボ発光の有無をコマ番号１に対応する撮影モードにから順次変更する制御を行う。そして、撮影モードが変更される毎に、撮像部２０を制御して撮影を行って９つの画像データを予備撮影画像データとして取得する。なお、予備撮影により取得された９つの予備撮影画像データは、メモリカード１０ではなく、システムメモリ４４のＲＡＭに一時的に保存されることとなる。
【００３１】
ここで、モード設定部４０は、ストロボ制御部３０におけるストロボ発光の有無を設定し、撮像部２０における絞り、露光時間および露出補正量を撮影条件として設定し、信号処理部２４におけるホワイトバランス補正の有無を画像処理条件として設定する。
【００３２】
次いで、本実施形態において行われる処理について説明する。図３は本実施形態において行われる第１の処理を示すフローチャートである。
【００３３】
ユーザがデジタルカメラ１の入力部３２を用いてデジタルカメラ１のモードを撮影モードに切り替え、予備撮影ボタン３２Ａを押下することにより処理が開始され、ＣＰＵ２２が予備撮影を行って９つの予備撮影画像データを取得する（ステップＳＴ１）。この状態においては、システムメモリ４４のＲＡＭに９つの予備撮影画像データが一時的に保存された状態となっている。そして取得した９つの予備撮影画像データにより表される９つの予備撮影画像のすべてをＬＣＤ１６に表示する（ステップＳＴ２）。この際、コマ番号５の予備撮影画像をデフォルトで選択状態とする（ステップＳＴ３）。さらに、ＣＰＵ２２は選択された予備撮影画像を取得した際の撮影モードを設定する（ステップＳＴ４）。
【００３４】
図４は予備撮影画像データを表示するための予備撮影画像画面を示す図である。図４に示すように予備撮影画像画面１００は、予備撮影画像表示フィールド１００Ａおよび説明フィールド１００Ｂが表示される。なお、デフォルト状態においては、中央部に位置するコマ番号５の予備撮影画像（すなわち標準設定の撮影モードにて撮影を行うことにより取得した予備撮影画像）が選択された状態となっている（図４の二重線参照）。
【００３５】
図４に示すように、予備撮影画像表示フィールド１００Ａは９つの領域に分割され、そのそれぞれに９コマの予備撮影画像が表示される。また、説明フィールド１００Ｂには選択した予備撮影画像の説明文言が表示される。
【００３６】
この状態において、ＣＰＵ２２は各種スイッチ３２Ｃを用いてのユーザによる予備撮影画像の選択の指示またはＯＫの指示の入力を受け付ける（ステップＳＴ５）。そして、入力が選択の指示である場合には、コマを移動して移動したコマの予備撮影画像を選択し（ステップＳＴ６）、ステップＳＴ４に戻る。ＯＫの指示である場合には、次の入力の待機状態となる（ステップＳＴ７）。
【００３７】
そして、入力がパワーオフである場合には、処理を終了する。入力がシャッタボタン３２Ｂの押下である場合には、撮影処理を行い（ステップＳＴ８）、ステップＳＴ７に戻る。これにより、現在設定された、すなわち予備撮影画面において選択した予備撮影画像を取得した際の撮影モードにより撮影が行われ、取得された画像データがメモリカード１０に記録される。また、入力が予備撮影である場合には、ステップＳＴ１に戻り、ステップＳＴ１以降の処理を繰り返す。
【００３８】
このように、第１の実施形態においては、予備撮影により取得された予備撮影画像を予備撮影画像画面１００に表示し、ユーザが選択した予備撮影画像を取得した撮影モードにより撮影を行って画像データを取得するようにしたものである。このため、カメラの初心者であっても、各種撮影モードにより撮影が行われた複数の画像を実際に見ながら、自身が所望とする画質の画像を得ることが可能な撮影モードを設定することができ、これにより、所望とする画質を有する画像を容易に取得することができる。
【００３９】
次いで、本発明の実施形態において行われる第２の処理について説明する。図５は本実施形態において行われる第２の処理を示すフローチャートである。なお、図５に示すフローチャートにおけるステップＳＴ１１からステップＳＴ１３の処理は、上記第１の処理におけるステップＳＴ１からステップＳＴ３の処理と同一であるため、ここでは詳細な説明は省略する。
【００４０】
ステップＳＴ１３に続いて、ＣＰＵ２２は各種スイッチ３２Ｃを用いてのユーザによる予備撮影画像の選択の指示またはＯＫの指示の入力を受け付ける（ステップＳＴ１４）。そして、入力が選択の指示である場合には、コマを移動して移動したコマの予備撮影画像を選択し（ステップＳＴ１５）、ステップＳＴ１４に戻る。ＯＫの指示である場合には、選択した予備撮影画像を取得した際の撮影モードの設定の仕方を説明するためのガイダンスをＬＣＤ１６に表示する（ステップＳＴ１６）。
【００４１】
図６はガイダンス表示画面の例を示す図である。図６に示すようにガイダンス表示画面１０１には、撮影モードの設定の仕方を説明したガイダンスが表示される。図６には、例えばユーザが夜景モードにより取得した予備撮影画像を選択した場合についての絞りの値、露光時間およびストロボをＯＮとする旨を表示した状態を示している。
【００４２】
ＣＰＵ２２は、ユーザによるガイダンス画面１０１を見ながらの、絞り、露光時間の調整等の撮影モードの設定入力を受け付け（ステップＳＴ１７）、次の入力の待機状態となる（ステップＳＴ１８）。
【００４３】
そして、入力がパワーオフである場合には、処理を終了する。入力がシャッタボタン３２Ｂの押下である場合には、撮影処理を行い（ステップＳＴ１９）、ステップＳＴ１８に戻る。これにより、現在設定された、すなわち予備撮影画面において選択した予備撮影画像を取得した際の撮影モードにより撮影が行われ、取得された画像データがメモリカード１０に記録される。また、入力が予備撮影である場合には、ステップＳＴ１１に戻り、ステップＳＴ１１以降の処理を繰り返す。
【００４４】
このように、第２の実施形態においては、予備撮影により取得された予備撮影画像を予備撮影画像画面１００に表示し、ユーザが選択した予備撮影画像を取得した撮影モードの設定の仕方をガイダンス画面１０１に表示してユーザに撮影モードを設定させ、設定された撮影モードにより撮影を行って画像データを取得するようにしたものである。このため、カメラの初心者であっても、各種撮影モードにより撮影が行われた複数の画像を実際に見ながら、自身が所望とする画質の画像を得ることが可能な撮影モードを設定することができ、これにより、所望とする画質を有する画像を容易に取得することができる。また、ユーザは撮影モードの設定の仕方を学習することができる。
【００４５】
なお、上記実施形態においては、予備撮影により９つの画像データを取得しているが、設定パターンテーブルＴ０において設定された撮影モードの数に応じて予備撮影の回数を設定すればよいものである。また、昼、夜等の撮影を行う時間帯に応じて異なる撮影モードを記述した設定パターンテーブルＴ０を用いるようにしてもよい。
【００４６】
また、上記実施形態においては、複数の予備撮影画像を１つの予備撮影画像画面１００に表示してユーザに所望とする予備撮影画像を選択させているが、複数の予備撮影画像を１つずつ切り替え可能にＬＣＤ１６に表示するようにしてもよい。
【００４７】
また、上記実施形態においては、予備撮影画像画面１００において、選択した予備撮影画像の撮影モードの説明文言を表示しているが、デフォルト状態においては説明文言を表示せず、入力部３２からの指示を待って説明文言を表示するようにしてもよい。
【００４８】
また、上記実施形態の第２の処理においては、ＬＣＤ１６にガイダンス画面１０１を表示して撮影モードの設定の仕方を案内しているが、撮影モードの設定の仕方を音声により案内してもよく、音声およびガイダンス画面１０１の双方により案内するようにしてもよい。
【図面の簡単な説明】
【００４９】
【図１】本発明の実施形態による撮影装置を適用したデジタルカメラの構成を示す概略ブロック図
【図２】設定パターンテーブルの例を示す図
【図３】本実施形態の第１の処理において行われる処理を示すフローチャート
【図４】予備撮影画像画面の例を示す図
【図５】本実施形態の第２の処理において行われる処理を示すフローチャート
【図６】ガイダンス画面の例を示す図
【符号の説明】
【００５０】
１      デジタルカメラ
１０    メモリカード
１６    ＬＣＤ
２０    撮像部
２２    ＣＰＵ
４０    モード設定部
１００  予備撮影画像画面
１０１  ガイダンス画面
【図１】
2005354486.tif 000003
【図２】
2005354486.tif 000004
【図３】
2005354486.tif 000005
【図４】
2005354486.tif 000006
【図５】
2005354486.tif 000007
【図６】
2005354486.tif 000008